(57)【特許請求の範囲】
【請求項１】
容器の口部に取り付けるキャップ体と、このキャップ体から延長された帯状の連結片と、該連結片の端部に一体に成形された蓋栓とからなり、キャップ体に注出口を設けると共に、該注出口の周囲に液垂防止部を設け、一方、注出口の開口内周縁に嵌入する内蓋と、液垂防止部の仕切壁外周に嵌合する外蓋とを有する蓋栓を設けて注出口を開閉自在に施蓋し、キャップ体の上面に折り重なった連結片に支持用ヒンジを設け、該支持用ヒンジで前記蓋栓を開閉自在に支持すると共に、キャップ体の上面に折り重ねた連結片をキャップ体の上面に固定する嵌合突起と、この嵌合突起が強制嵌合する嵌合孔とを、連結片とキャップ体との重合面に設けたヒンジ付きワンピースキャップにおいて、前記嵌合突起を前記連結片における支持突起の両側に配置し、前記嵌合孔を前記キャップ体における揺動凹部の両側に配置し、前記支持用ヒンジは、前記連結片の蓋栓側からヒンジを越えてキャップ体側に突出する支持突起を有し、キャップ体の上面に凹設した揺動凹部内でこの支持突起が揺動すると共に、揺動凹部内に設けた係止部に支持突起を摺接係止させて蓋栓を解放状態で支持することを特徴とするヒンジ付きワンピースキャップ。
【請求項２】
前記嵌合孔の内側面を略すり鉢状に形成すると共に、嵌合突起の先端部周囲縁に、前記嵌合孔の周囲縁に強制係止する係止フランジを設けた請求項１記載のヒンジ付きワンピースキャップ。
【発明の詳細な説明】
【０００１】
【発明の属する技術分野】
本発明は、主として食用油、酒類、調味料等の液体を入れる容器の口部に取付けて使用するヒンジ付きワンピースキャップに関するものである。
【０００２】
【従来の技術】
ヒンジ付きワンピースキャップは、当出願人によって先に開発された画期的な栓体である（特公昭60-20263号公報、実公昭62-33720号公報）。このヒンジ付きワンピースキャップとは、容器の口部に取り付けるキャップ体と、キャップ体に開口した注出口を施蓋する蓋栓とを一体に成形したワンピース構成の栓体を言う。このヒンジ付きワンピースキャップで使用される蓋栓は、キャップ体の端部から延長された連結片の端部に設けてあり、この連結片をキャップ体上に折り重ねると共に、折り重ねた連結片に設けたヒンジ部分から連結片の端部を屈曲操作することで、蓋栓を開閉自在にするものである。このヒンジ付きワンピースキャップの発明によって、それまで別々に形成されていたキャップ体と蓋栓とが一体に形成されるようになったことから、この発明は、製造工程の合理化に成功した画期的な発明であると言える。
【０００３】
【発明が解決しようとする課題】
本発明は、先のヒンジ付きワンピースキャップを更に改良すべく創出されたものである。
【０００４】
第１の改良点は、連結片の固定手段にある。すなわち、従来の固定手段は、キャップ体の上面に一対の係止突条を突設し、この係止突条に、帯状を成した連結片の両側縁を係止する固定手段を採用していた。ところが、このような係止突条に連結片を係止しておくと、使用者が誤って係止突条から連結片を取り外してしまうおそれがあった。従来の連結片は、この係止突条に係止させたままで連結片の略中央部位を押し込むと、蓋栓が開く構造になっていたが、蓋栓自体を持って直接開けようとすると、係止突条から連結片が外れる構造になっている。このように、一旦、連結片が外れてしまうと、再び蓋栓で施蓋する際に係止突条に連結片を係止させなければ正常な施蓋ができなくなり、使用者は、通常の使用に必要以外の余分な作業が課せられることになる。
【０００５】
第２の改良は、蓋栓を開けた状態で連結片を固定するヒンジ部分の構造にある。特公昭60-20263号で提案したヒンジ部分の構造は、キャップ体の上面に係止壁を設け、ヒンジ部分を下に押し込んだときに、ヒンジの先の連結片がこの係止壁に係止して連結片の先端が上方に向くようにすると共に、係止突条の内側面に突設した一対の規制突起で、押し込んだ連結片の両側縁上面を係止する構造である。一方、実公昭62-33720号で提案したヒンジ部分の構造は、前記の係止壁を改良した考案で、係止壁の代わりになる支承凸部を連結片の両側縁に突設したものである。ところが、このような従来の構造は、いずれも、連結片の略中央部位を押し込む操作で蓋栓を開け、蓋栓を閉じるときは蓋栓自体を操作するといった異なった操作で行なわれていた。この為、蓋栓の開閉作業が混乱し易く、前述の如く、蓋栓を直接持って開けようとして、係止突条から連結片を外してしまうといった不都合が、このヒンジ部分の構造にも生じていた。
【０００６】
そこで、本発明は、上述のようなヒンジ付きワンピースキャップを改良すべく創出されたもので、開閉操作の誤りをなくし、使い勝手に優れたヒンジ付きワンピースキャップの提供を目的とする。
【０００７】
【課題を解決するための手段】
本発明の第１の手段は、容器の口部に取り付けるキャップ体１と、このキャップ体１から延長された帯状の連結片１０と、該連結片１０の端部に一体に成形された蓋栓２０とからなり、キャップ体１に注出口２を設けると共に、該注出口２の周囲に液垂防止部８を設け、一方、注出口２の開口内周縁に嵌入する内蓋２１と、液垂防止部８の仕切壁８Ａ外周に嵌合する外蓋２２とを有する蓋栓２０を設けて注出口２を開閉自在に施蓋し、キャップ体１の上面に折り重なった連結片１０に支持用ヒンジ１１を設け、該支持用ヒンジ１１で前記蓋栓２０を開閉自在に支持すると共に、キャップ体１の上面に折り重ねた連結片１０をキャップ体１の上面に固定する嵌合突起１５と、この嵌合突起１５が強制嵌合する嵌合孔５とを、連結片１０とキャップ体１との重合面に設けたヒンジ付きワンピースキャップにおいて、前記嵌合突起１５を前記連結片１０における支持突起１２の両側に配置し、前記嵌合孔５を前記キャップ体１における揺動凹部３の両側に配置し、前記支持用ヒンジ１１は、前記連結片１０の蓋栓２０側からヒンジを越えてキャップ体１側に突出する支持突起１２を有し、キャップ体１の上面に凹設した揺動凹部３内でこの支持突起１２が揺動すると共に、揺動凹部３内に設けた係止部４に支持突起１２を摺接係止させて蓋栓２０を解放状態で支持することにある。
【０００８】
第２の手段は、嵌合孔５の内側面を略すり鉢状に形成すると共に、嵌合突起１５の先端部周囲縁に、前記嵌合孔５の周囲縁に強制係止する係止フランジ１６を設けたことを課題解消のための手段とする。
【００１１】
【発明の実施の形態】
以下、図面に基づいて本発明の実施の形態を説明する。
【００１２】
本発明のワンピースキャップは、主として食用油、酒類、調味料等の液体を入れる容器の口部に取付けて使用するものであるが、本発明の構成に適合する容器であれば、他の用途に使用してもよい。
【００１３】
本発明の主要な構成は、容器の口部に取り付けるプラスチック製のキャップ体１と、支持用ヒンジ１１を設けた連結片１０と、この連結片１０の先端に設けられた蓋栓２０とから成る（図１参照）。
【００１４】
キャップ体１は、例えば有底筒状を成した容器の開口部に装着して開口部全体を施蓋し、キャップ体１に開口した注出口２から容器の内容物を注出する（図４参照）。この注出口２を蓋栓２０が着脱自在に施蓋し、注出口２の密封状態を維持するものになっている（図７参照）。更に、このキャップ体１には、後述する連結片１０の嵌合突起１５を強制嵌合する嵌合孔５と、支持突起１２を挿入せしめる揺動凹部３とを設けてある（図１参照）。
【００１５】
図示のキャップ体１は、突出した注出口２を蓋栓２０が施蓋したときに、キャップ体１全体の高さが、この施蓋した蓋栓２０の高さと一致するように、膨出部７を設けている（図７参照）。そして、キャップ体１の端部から帯状の連結片１０を延長し、連結片１０の端部に蓋栓２０を一体形成している（図２参照）。更に、キャップ体１の膨出部７の上面に、連結片１０を嵌合せしめる嵌合溝６を形成し、この嵌合溝６に前記嵌合孔５と揺動凹部３とを設けている（図１参照）。
【００１６】
また、注出口２の周囲に液垂防止部８を設けてある（図２参照）。この液垂防止部８は、注出口２を伝って外に流れる液体を受けて注出口２の周囲に溜める仕切壁８Ａと、この仕切壁８Ａの底部に設けた傾斜部８Ｂと、傾斜部８Ｂの最下端部に開穿された循環孔８Ｃとから成る（図３参照）。この液垂防止部８によると、注出口２を伝って外に流れる液体は、キャップ体１の中央部側に設けた循環孔８Ｃから容器内部に戻るように工夫されている。
【００１７】
連結片１０は、キャップ体１と一体に形成されており、キャップ体１の端部に設けた連結用ヒンジ９を介して揺動自在に連結されている（図３参照）。帯状を成している連結片１０は、前記キャップ体１の膨出部７の形状に重合するように屈曲形成され、その長手略中央部に支持用ヒンジ１１と、支持突起１２と、嵌合突起１５とを設けている（図１参照）。
【００１８】
支持用ヒンジ１１は、キャップ体１の上面に折り重ねた連結片１０を屈曲自在にするもので、この支持用ヒンジ１１の長手中央部に支持突起１２を設けている（図４参照）。支持突起１２は、連結片１０の蓋栓２０側から支持用ヒンジ１１を越えて連結片１０のキャップ体１側に突出しており、前記キャップ体１に設けた揺動凹部３内で、この支持突起１２が揺動すると共に、揺動凹部３の内部に設けた係止部４に支持突起１２の端部が係止して、蓋栓２０を設けた連結片１０の端部を解放状態で支持するように構成されている（図５、図６参照）。支持突起１２の支持と解除は、プラスチックの弾性を利用するもので、連結片１０の端部に設けた蓋栓２０を持って連結片１０を揺動操作することで、支持突起１２を簡単に立設支持し、又、同様に解除させることができる。図示例では、蓋栓２０の周囲に、指先が係止する操作用の開放用突起２４を設けて蓋栓２０の操作をより容易に行えるようにしている。
【００１９】
嵌合突起１５は、キャップ体１の嵌合孔５に強制嵌合することで、連結片１０の重合した一部をキャップ体１に接合させるものである（図８参照）。この嵌合突起１５は、支持突起１２の両側に配置し、嵌合孔５を前記キャップ体１に設けた揺動凹部３の両側に配置している。そして、嵌合孔５の内側面を略すり鉢状に形成すると共に、嵌合突起１５の先端部周囲縁に、前記嵌合孔５の周囲縁に強制係止する係止フランジ１６を設けてある（図２参照）。嵌合突起１５と嵌合孔５とを、このように形成することで強固な連結力が生じ、一端嵌合した嵌合突起１５は、嵌合孔５から容易に離すことが困難になる。また、嵌合突起１５の間に、支持突起１２を配設することにより、連結片１０とキャップ体１とが最も強力に連結された部分で支持突起１２を操作できるので、支持突起１２によって開放状態の蓋栓２０を確実に支持することが可能になった（図６参照）。尚、図示例では、連結片１０に嵌合突起１５を設け、キャップ体１に嵌合孔５を設けているが、これら嵌合突起１５と嵌合孔５との位置設定を逆に設定してもよい。
【００２０】
蓋栓２０は、連結片１０の端部に設けられ、前記キャップ体１の注出口２を着脱自在に施蓋する（図４、図７参照）。この蓋栓２０には、注出口２の開口内周縁に嵌入する内蓋２１と、液垂防止部８の仕切壁８Ａ外周に嵌合する外蓋２２とを設けている（図８参照）。そして、外蓋２２の内側面に突設した係止突起２３と、仕切壁８Ａの外側面に突設した係止突起８Ｄとを係合することで蓋栓２０を固定している。
【００２１】
次に、本発明の使用状態を説明すると、先ず、図１に示すキャップ体１と連結片１０とが展開した成形状態から、連結片１０をキャップ体１上に折り重ね、連結片１０の嵌合突起１５をキャップ体１の嵌合孔５に嵌合してキャップ体１と連結片１０とを接合する（図８参照）。この状態に接合した後は、嵌合孔５から嵌合突起１５を解除することはなく、支持用ヒンジ１１から連結片１０を揺動操作するものになる（図４参照）。施蓋状態にある蓋栓２０を開けるには、この蓋栓２０を手指で持ち上げて支持用ヒンジ１１から連結片１０の先端部を上方へ揺動させる。そして、支持突起１２が揺動凹部３内で揺動するところで手を離すと、支持突起１２の端部が係止部４に係止し、蓋栓２０が開放状態で支持固定される（図６参照）。蓋栓２０を再び施蓋するには、この蓋栓２０を注出口２側に押し込み、係止突起２３と係止突起８Ｄとを係合させる（図８参照）。
【００２２】
【発明の効果】
本発明ワンピースキャップは上述の如く構成したことにより、当初の目的を達成した。
【００２３】
すなわち、ヒンジ付きワンピースキャップにおいて、キャップ体１の上面に折り重ねた連結片１０をキャップ体１の上面に固定する嵌合突起１５と、この嵌合突起１５が強制嵌合する嵌合孔５とを、連結片１０とキャップ体１との重合面に設けたことで、注出口２の開口内周縁に嵌入する内蓋２１と、液垂防止部８の仕切壁８Ａ外周に嵌合する外蓋２２とを有する蓋栓２０自体を持って直接開閉操作することが可能になり、開閉操作の誤りがなくなり、使い易いものになった。また、連結片１０を嵌合突起１５と嵌合孔５とで固定するから、従来の連結片の長手両側縁を係止する固定手段のように、使用者が誤って連結片を取り外すおそれも解消された。
【００２４】
キャップ体１の上面に凹設した揺動凹部３内で支持突起１２が揺動すると共に、揺動凹部３内に設けた係止部４に支持突起１２を摺接係止させて蓋栓２０を解放状態で支持するので、蓋栓２０の操作は、連結片１０の先端部を揺動操作するだけでよい。この結果、従来のように、連結片の略中央部位を押し込む操作で蓋栓を開け、蓋栓を閉じるときは蓋栓自体を操作するといった異なった操作の必要がなくなり、開閉操作の誤りをなくすことができる。
【００２５】
嵌合突起１５を前記連結片１０における支持突起１２の両側に配置し、前記嵌合孔５を前記キャップ体１における揺動凹部３の両側に配置しているので、連結片１０とキャップ体１とが最も強力に連結された部分で支持突起１２を操作することができ、支持突起１２によって開放状態の蓋栓２０を確実に支持することが可能になった。
【００２６】
そして、嵌合孔５の内側面を略すり鉢状に形成すると共に、嵌合突起１５の先端部周囲縁に、前記嵌合孔５の周囲縁に強制係止する係止フランジ１６を設けたことで、強固な連結力が生じ、一旦嵌合した嵌合突起１５は、嵌合孔５から容易に離すことが困難になる。したがって、従来のように連結片が外れることは無くなり、使用者は、通常の使用に余分な作業が課せられるおそれは解消された。
【図面の簡単な説明】
【図１】本発明キャップにおける成形状態の一実施例を示す斜視図である。
【図２】本発明キャップの平面図である。
【図３】本発明キャップの縦断面図である。
【図４】本発明キャップにおける使用状態を示す斜視図である。
【図５】本発明キャップにおける使用状態の縦断面図である。
【図６】本発明キャップにおける蓋栓の支持状態を示す縦断面図である。
【図７】本発明キャップにおける施蓋状態の蓋栓を示す斜視図である。
【図８】本発明キャップにおける施蓋状態の蓋栓を示す縦断面図である。
【符号の説明】
１  キャップ体
２  注出口
３  揺動凹部
４  係止部
５  嵌合孔
６  嵌合溝
７  膨出部
８  液垂防止部  ８Ａ  仕切壁
８Ｂ  傾斜部
８Ｃ  循環孔
８Ｄ  係止突起
９  連結用ヒンジ
１０  連結片
１１  支持用ヒンジ
１２  支持突起
１５  嵌合突起
１６  係止フランジ
２０  蓋栓
２１  内蓋
２２  外蓋
２３  係止突起
２４  開放用突起
【図１】
0003554920.tif 000002
【図２】
0003554920.tif 000003
【図３】
0003554920.tif 000004
【図４】
0003554920.tif 000005
【図５】
0003554920.tif 000006
【図６】
0003554920.tif 000007
【図７】
0003554920.tif 000008
【図８】
0003554920.tif 000009